(57)【要約】      （修正有）【課題】ロック構造を備えた差込式の包装箱において、蓋が不用意には開かないが、差込フラップに沿って指を包装箱に挿入することにより容易に蓋が開くようにする。【解決手段】包装箱１Ａは、正面板８、左右一対の側面板９、１０、背面板１１、側面板９、１０に連接した一対の内フラップ６、７、背面板１１に連接した外フラップ２、外フラップ２に連接した差込フラップ３を有し、外フラップ２と差込フラップ３で差込式の蓋となる。包装箱１Ａは、外フラップ２と差込フラップ３とを画する第１折線Ｌ1 の両端部に形成された切込４、５と、蓋を閉じた状態で切込４、５と係合するように内フラップの縁部が突出した一対の係合部６ａ、７ａを有し、一方の係合部６ａの側面板９側に切欠き１３を有する。切欠き１３は内フラップ６と側面板９とを画する第２折線Ｌ２の方向に延び、外フラップ２において、蓋を閉じた状態で係合部と重なる部分に引き上げ部１４を有する。【選択図】図１
0003208668.tif 000002
【実用新案登録請求の範囲】
【請求項１】
正面板、左右一対の側面板、背面板、側面板に連接した一対の内フラップ、背面板に連接した外フラップ、外フラップに連接した差込フラップを有し、外フラップと差込フラップで差込式の蓋が形成される包装箱であって、
外フラップと差込フラップとを画する折線（以下、第１折線という）の両端部に形成された切込と、蓋を閉じた状態で切込と係合するように内フラップの縁部が突出した一対の係合部を有し、
一対の係合部のうち一方の係合部の側面板側に切欠きを有し、該切欠きが、内フラップと側面板とを画する折線（以下、第２折線という）の方向に延び、
外フラップにおいて、蓋を閉じた状態で係合部と重なる部分に引き上げ部が形成されている包装箱。
【請求項２】
係合部において、切欠きと反対側の縁辺が滑らかな曲線をなしている請求項１記載の包装箱。
【請求項３】
切欠き側の係合部を形成する、第１折線に平行な内フラップの縁辺の長さが、切欠きと反対側の係合部を形成する、第１折線に平行な内フラップの縁辺の長さよりも長い請求項１又は２記載の包装箱。
【請求項４】
切欠き側の切込の長さが、それと反対側の切込の長さよりも長い請求項３記載の包装箱。
【請求項５】
差込フラップが外フラップに対し第１折線の方向に偏位している請求項１〜４のいずれかに記載の包装箱。
【請求項６】
切欠きの包装箱の奥行き方向の長さが、包装箱の奥行きの２／１０〜５／１０である請求項１〜５のいずれかに記載の包装箱。
【請求項７】
切欠き側の切込において、差込フラップの縁辺が第１折線に対して傾斜している請求項１〜６のいずれかに記載の包装箱。
【請求項８】
正面板に連接し、蓋を閉じた状態で外フラップから起立する看板を有する請求項１〜７のいずれかに記載の包装箱。
【考案の詳細な説明】
【技術分野】
【０００１】
本考案は、ロック構造を有する差込式の包装箱に関する。
【背景技術】
【０００２】
従来、化粧品、日用品、電気製品などの包装箱として、板紙、プラスチックシート等で形成された１枚のブランクシートからなる差込式（Ｂ式）の包装箱が使用されている。
図１８Ａに示すように、差込式の包装箱１Ｘでは、差込式の蓋が外フラップ２と差込フラップ３で形成され、外フラップ２の両側に一対の内フラップ６、７が設けられる。この包装箱１Ｘでは、商品の輸送中や店頭での陳列中に不用意に蓋が開いてしまうことを防止するため、外フラップ２と差込フラップ３とを画する折線Ｌ１の両端部に切込４、５を形成すると共に、内フラップ６、７の縁部を突出させて係合部６ａ、７ａを形成し、図１８Ｂに示すように、蓋を閉じた状態で切込４、５と係合部６ａ、７ａが係合し、差込フラップ３を抜け難くしたロック構造を設けることがなされている。
【０００３】
しかしながら、包装箱が、例えば、口紅の個包装に使用されるような小さい箱である場合には、閉じた包装箱を開けるために指を差込フラップ３と正面板８との間に入れると、指により差込フラップ３が包装箱１Ｘの中心部側に押されることによりロック構造が強く作用するので、蓋が開き難いという問題がある。無理に蓋を開けようとすると、係合部が食い込んでしまい一層ロック構造が強く作用してしまったり、外フラップ２や内フラップ６、７が破れてしまう。
【０００４】
差込式の包装箱としては、図１９に示すように、商品を棒に通して陳列するための陳列用の穴２１があいた看板２０が背面板１１から延設されている包装箱１Ｙも広く使用されているが、蓋を開けたいときにロック構造が作用して蓋が開かないという問題は、看板２０を有する差込式の包装箱１Ｙでも生じる。即ち、看板２０付きの包装箱１Ｙでは、看板２０により包装箱１Ｙが撓みにくくなるため、看板２０と外フラップ２との隙間から指を入れづらくなっており、また指を箱内に入れて蓋を開けようとすると、ロック構造が強く作用する。
【０００５】
ロック構造を有する包装箱を開けやすくするため、差込フラップから摘み片を延設し、包装箱を閉じた状態で、摘み片を看板に沿わせて外フラップから突出させることが提案されている（特許文献１）。
【０００６】
しかしながら、看板に沿って突出している摘み片は、摘み上げにくく、また、剛性の強い板紙やプラスチックシートで包装箱が形成されている場合、摘み片を引き上げることにより外フラップを引き上げるには相当の力が必要となる。さらに、このような摘み片を看板の無い包装箱に形成すると、摘み片だけが外フラップから突出することになり、包装箱のデザインが損なわれる。
【先行技術文献】
【特許文献】
【０００７】
【特許文献１】特開２００１−２７８２４９号公報
【考案の概要】
【考案が解決しようとする課題】
【０００８】
上述の従来技術に対し、本考案が解決しようとする課題は、ロック構造を備えた差込式の包装箱について、搬送中や商品陳列中等では不用意に蓋が開かないようにし、かつ、蓋を開けるために差込フラップに沿って指を包装箱に挿入してロック構造が強く作用しすぎた場合にも、容易に蓋が開くようにする箱を提供することに関する。
【課題を解決するための手段】
【０００９】
本考案者は、ロック構造を備えた差込式の包装箱において、ロック構造を形成する、一対の内フラップの係合部のうち、一方の係合部の側面板側に切欠きを設けると、蓋を開ける際にその係合部が上方に浮き上がり、差込フラップが引き抜きやすくなることを見出し、かかる切欠きを備えた本考案の包装箱を想到した。
【００１０】
即ち、本考案は、正面板、左右一対の側面板、背面板、側面板に連接した一対の内フラップ、背面板に連接した外フラップ、外フラップに連接した差込フラップを有し、外フラップと差込フラップで差込式の蓋が形成される包装箱であって、
外フラップと差込フラップとを画する折線（以下、第１折線という）の両端部に形成された切込と、蓋を閉じた状態で切込と係合するように内フラップの縁部が突出した一対の係合部を有し、
一対の係合部のうち一方の係合部の側面板側に切欠きを有し、該切欠きが、内フラップと側面板とを画する折線（以下、第２折線という）の方向に延び、
外フラップにおいて、蓋を閉じた状態で係合部と重なる部分に引き上げ部が形成されている包装箱を提供する。
【考案の効果】
【００１１】
本考案の包装箱は、差込式の包装箱であって、内フラップに形成された一対の係合部と、該係合部に係合する蓋の切込でロック構造が形成されるが、一対の係合部のうち一方だけが切欠きにより浮き上がりやすくなっているので、引き上げ部を引き上げると、切欠き側から係合が外れ、容易に差込フラップを引き抜き、蓋を開けることができる。
【００１２】
一方、係合部と切込による一対のロック構造のうち、切欠きと反対側のロック構造は強いロック作用を有するので、商品が収容された包装箱の搬送中や商品陳列中等において不用意に蓋が開くことが防止される。
【図面の簡単な説明】
【００１３】
【図１】図１は、実施例の包装箱１Ａの展開図である。
【図２】図２は、実施例の包装箱１Ａの斜視図である。
【図３】図３は、実施例の包装箱１Ａの蓋開け開始時の斜視図である。
【図４】図４は、実施例の包装箱１Ａの上面図である。
【図５】図５は、実施例の包装箱の上面図である。
【図６】図６は、実施例の包装箱の上面図である。
【図７】図７は、実施例の包装箱の上面図である。
【図８】図８は、実施例の包装箱の上面図である。
【図９】図９は、実施例の包装箱の上面図である。
【図１０】図１０は、実施例の包装箱の上面図である。
【図１１】図１１は、実施例の包装箱の上面図である。
【図１２】図１２は、実施例の包装箱の上面図である。
【図１３】図１３は、実施例の包装箱１Ｂの展開図である。
【図１４】図１４は、実施例の包装箱１Ｂの斜視図である。
【図１５】図１５は、実施例の包装箱１Ｃの斜視図である。
【図１６Ａ】図１６は、実施例の包装箱１Ｄの斜視図である。
【図１６Ｂ】図１６は、実施例の包装箱１Ｄの蓋開け開始時の斜視図である。
【図１７】図１７は、実施例の包装箱１Ｅの斜視図である。
【図１８Ａ】図１８Ａは、従来のロック構造を有する包装箱の蓋を開けた状態の斜視図である。
【図１８Ｂ】図１８Ｂは、従来のロック構造を有する包装箱の蓋を閉じた状態の斜視図である。
【図１９】図１９は、従来のロック構造を有するとともに看板が延設されている包装体の蓋を閉じた状態の斜視図である。
【考案を実施するための形態】
【００１４】
以下、図面に基づいて本考案の実施例を具体的に説明する。なお、各図中、同一符号は同一又は同等の構成要素を表している。
【００１５】
図１は、本考案の一実施例の包装箱１Ａの展開図であり、図２は、それを組み立てた包装箱１Ａの斜視図である。
この包装箱１Ａは、組み立て後の形態において、正面板８、正面板８の左右に一対形成された側面板９、１０、背面板１１、継ぎしろ１２、側面板に連接した一対の内フラップ６、７、背面板１１に連接した外フラップ２、外フラップ２に連接した差込フラップ３を有し、外フラップ２と差込フラップ３で差込式の蓋が形成される。一方、底部は、公知の組底になっている。なお、本考案において、正面板及び背面板という用語は、包装箱を構成する面の位置の特定をするために用いており、必ずしも包装箱が商品として使用されるときの正面や背面を意味するものではない。
【００１６】
外フラップ２と差込フラップ３とを画する第１折線Ｌ1 の両端部には切込４、５が形成され、一対の内フラップ６、７の縁部は、蓋を閉じた状態でこれら切込４、５と係合するように突出した一対の係合部６ａ、７ａを形成している。
【００１７】
一対の係合部のうち一方の係合部６ａの側面板９側には切欠き１３が形成されている。この切欠き１３は、内フラップ６と側面板９とを画する第２折線Ｌ2 の方向に、即ち、正面板８から背面板１１側に延びている。
係合部６ａの、切欠き１３と反対側の縁辺６ｒは、滑らかな曲線をなしている。
【００１８】
また、第１折線Ｌ1 の両端部の切込４、５のうち、切欠き１３側の切込４を形成する外フラップ２側の縁辺２ａは第１折線Ｌ1 に平行な直線となっているが、差込フラップ３の縁辺３ａは第１折線Ｌ1 に対して傾斜し、滑らかな曲線をなしており、この縁辺３ａの傾斜により、切込４の開口幅が切込の終端４ｅから切込の開口端４ｓに向かって漸増している。
一方、切欠き１３と反対側の切込５では、外フラップ２側の縁辺も差込フラップ３の縁辺も第１折線Ｌ1 に平行な直線となっている。
【００１９】
外フラップ２において、蓋を閉じた状態で係合部６ａと重なる部分には、外フラップ２の側辺に凹凸が形成されることにより引き上げ部１４が形成されている。ここで、蓋を閉じた状態で係合部６ａと重なる部分とは、蓋を閉じた状態で係合部６ａの真上に重なる部分及びその近傍を含み、特に、外フラップ２の切欠き１３側の領域を含む。引き上げ部１４は、包装箱の使用者が蓋を開けるときに最初に引き上げる部分となるように形成される。即ち、蓋を開けるときにこの部分が最初に引き上げる部分として使用者に認識され、使用者がこの部分を引き上げるように使用者を誘導するため、その旨を示す印刷を施してもよい。また、引き上げ部１４の表面にエンボスを設けてもよく、表面に粘着テープ等により摘みを設けてもよく、これらを適宜組み合わせてもよい。物理的形状による引き上げやすさと、引き上げるべき部分としての視認性を向上させる点から、外フラップ２の側辺に凹凸を形成すると共に、印刷により引き上げ部１４を示すことが好ましい。
【００２０】
この包装箱１Ａを閉じる際には、従前の差込式の包装箱と同様に、まず、内フラップ６、７を開口部上に折り曲げ、次に、外フラップ２から折線で屈曲している差込フラップ３を正面板８に沿わせて包装箱内に挿入し、さらに外フラップ２を内フラップ６、７の上に重ねる。こうして蓋を閉じると、内フラップ６、７の係合部６ａ、７ａが蓋の切込４、５と係合し、ロック構造が作用し、蓋が不用意に開くことが防止される。
【００２１】
一方、蓋を開く場合には、図３に示すように、まず、外フラップ２の引き上げ部１４を上方に摘み上げるか、あるいは、差込フラップ３と正面板８との間に指を入れて引き上げ部１４側から差込フラップ３を引き上げる。即ち、差込式でロック構造を有する蓋を使用者が開けようとする場合、一般に、差込フラップと箱の間に指を入れ、差込フラップが引き上げられるので、その方法をこの包装箱１Ａに適用してもよい。その場合、切欠き１３側から差込フラップ３を引き上げると容易に蓋を開けることができる。また、棒状の口紅の包装箱のように、幅の狭い箱では、差込フラップと箱の間に指を入れることは困難であるが、その場合、引き上げ部１４を摘み上げることにより蓋を開ける。
【００２２】
こうして引き上げ部１４側から包装箱１Ａの蓋を開けるときも、内フラップ６、７の係合部６ａ、７ａが蓋の切込４、５と係合するロック構造により、差込フラップ３の引き抜けが抑制されるが、切欠き１３が側面板９側に形成されている係合部６ａでは、係合部６ａが浮き上がりやすくなり、係合部６ａと切込４との係合が外れ易い。そのため、容易に差込フラップ３を切欠き１３側から引き抜き、蓋を開けることできる。
【００２３】
さらに、この係合部６ａに係合する切込４では、該切込４を形成する差込フラップ３の縁辺３ａが傾斜していると、係合部６ａと差込フラップ３の縁辺３ａとの接触点が差込フラップ３の外側へずれやすく、係合部６ａと切込４との係合が外れ易いため、好ましい。
【００２４】
ロック構造を形成する一対の係合部６ａ、７ａと切込４、５の係合のうち一方の係合部６ａを切欠き１３で浮かせることで係合部６ａと切込４の係合を外れ易くするにあたり、図４に示すように、切欠き１３の、包装箱１Ａの奥行き方向の長さＤ1 を、包装箱１Ａの奥行きＤ2 の２／１０〜５／１０とすることが好ましい。これにより、不用意に蓋が開くことは防止できるが、意図的に蓋を開けることは容易となる。なお、図４では、説明の便宜上、差込フラップ３を包装箱内に挿入しない状態で外フラップ２を内フラップ６、７上に重ねた状態を破線で示している。
【００２５】
また、包装箱１Ａの幅方向の長さについて、図４に示すように切欠き１３の長さをＷ1 、係合部６ａの縁辺のうち第１折線Ｌ1 に平行な縁辺６ｑの長さをＷ2 、切込４の長さをＷ3 とした場合に、
Ｗ1 ＋Ｗ2 ＜Ｗ3
とすることが好ましい。
さらに、係合部６ａの引き上げ易さは切欠き１３と切込４の寸法に大きく依存し、
１／２≦Ｄ1／Ｗ3≦２
とすることが好ましい。この比が過度に小さいと、係合部６ａの引き上げ量が小さすぎて蓋を意図的に開けようとするときにロック構造を解除することができず、この比が大きすぎると、ロック構造が効果を奏さない。
【００２６】
また、切込４を形成する差込フラップ３の縁辺３ａの傾斜は滑らかなラインで形成することが好ましく、図４に示すように、係合部６ａにおいて、第１折線Ｌ1 と平行な直線である縁辺６ｑの切欠き１３と反対側には、弧状の滑らかな曲線の縁辺６ｒであって、その弧の弦が内フラップ６の外側を向いているものが続き、さらに内フラップ６の先端側に直線の縁辺６ｓが続いている。曲線の縁辺６ｒの始点Ｐにおける接線と、終点Ｑにおける接線とが挟む角度αは１００〜１７０°とすることが好ましく、１１０〜１５０°とすることがより好ましい。なお、始点Ｐ及び終点Ｑは、それぞれ内フラップ６の係合部６ａの縁辺６ｑに続く滑らかに傾斜した縁辺のラインの変曲点である。
【００２７】
本考案においては、係合部６ａを有する内フラップ６の縁辺の形状を種々変更することができる。
例えば、図５に示すように、係合部６ａの直線の縁辺６ｑと、内フラップ６の先端側の直線の縁辺６ｓとは平行でなくてもよい。なお、図５では、破線により、差込フラップ３を包装箱内に挿入した状態の外フラップ２と差込フラップ３を示している。
【００２８】
図６に示すように、係合部６ａの縁辺６ｑが第１折線Ｌ1 と平行な直線であり、この縁辺６ｑに、弧状の滑らかな曲線の縁辺６ｒであって、その弧の弦を内フラップ６の外側に向けたものが続き、さらに、弧状の滑らかな曲線の縁辺６ｓであって、その弧の弦を内フラップ６の内側に向けたものが続いてもよい。この縁辺６ｓは内フラップ６の先端に達するようにしてもよい。
【００２９】
図７に示すように、第１折線Ｌ1 と平行な係合部６ａの縁辺６ｑの、包装箱の幅方向の長さＷ2 を短くすることができるが、係合部６ａと切込４からなる係合に最低限のロック機能を持たせるため、包装箱の幅方向の長さについて、縁辺６ｑの長さＷ2 を、切込４の長さＷ3の１／２以上とし、かつ包装箱の幅Ｗ0 の１／２０以上とすることが好ましい。
【００３０】
図８に示すように、係合部６ａの縁辺６ｑが第１折線Ｌ1 と平行な直線である場合に、この縁辺６ｑに、弧状の縁辺６ｒであって、その弧の弦を内フラップ６の内側に向けたものを続けてもよい。
【００３１】
一方、本考案においては、切欠き１３により係合部６ａを浮き上がり易くすることにより、係合部６ａと切込４との係合を外れやすくし、蓋を開口し易くするが、この場合に、意図せず蓋が開口することのないように、図９に示すように、第１折線Ｌ1 と平行な直線からなる係合部６ａの縁辺６ｑの長さＷ2 を、切欠き１３ａと反対側の係合部７ａの縁辺７ｑの長さＷ2'よりも長くしてもよい。この場合、係合部６ａに対応する切込４の長さと、係合部７ａに対応する切込５の長さは同じにしてもよく、必要に応じて、係合部６ａに対応する切込４の長さを、係合部７ａに対応する切込５の長さより長くしてもよい。
【００３２】
意図せず蓋が開口することのないように、図１０に示すように、切欠き１３側の係合部６ａの、第１折線Ｌ1 と平行な直線からなる縁辺６ｑの第１折線Ｌ1 からの突出量Ｄ3 に対し、もう一方の係合部７ａにおける、係合部７ａの縁辺７ｑの第１折線Ｌ1 からの突出量Ｄ3'を増大させてもよい。
【００３３】
一方、切欠き１３側の係合部６ａと切込４の係合が不用意に外れないように、差込フラップの形状により調整してもよい。
例えば、図１１に示すように、包装箱の幅Ｗ0 と包装箱の幅方向の差込フラップ３の幅Ｗ5 とを等しくするが、差込フラップ３の幅の中心線Ｍ1 を、包装箱の幅Ｗ0 の中心線Ｍ0 に対して第１折線Ｌ1 の方向に偏位させる。図１１では差込フラップ３の幅の中心線Ｍ1 を、包装箱の幅Ｗ0 の中心線Ｍ0 に対して切欠き１３側に偏位させている。これにより、差込フラップ３を正面板８に沿わせて包装箱内に挿入して蓋を閉じた場合に、係合部７ａと切込５の係合がより強固になるように変形し、係合部７ａと切込５の係合を外れ難くすることができる。また、差込フラップ３の幅の中心線Ｍ1 を、包装箱の幅Ｗ0 の中心線Ｍ0 に対して切欠き１３の対向側に偏位させれば、差込フラップ３を正面板８に沿わせて包装箱内に挿入して蓋を閉じた場合に、切欠き１３側の係合部６ａと切込４の係合がより強固になるように変形し、係合部６ａと切込４の係合を外れ難くすることができる。
なお、図１１において、説明の便宜上、実線は、差込フラップ３を包装箱内に挿入しない状態で外フラップ２を内フラップ６、７上に重ねた状態を示している。
【００３４】
図１２に示すように、切欠き１３側の切込４を形成する差込フラップ３の縁辺３ａを直線とし、その第１折線Ｌ1 に対する傾斜角γを大きくしてもよい。これにより、切欠き１３側の係合部６ａと切込４の係合を、より一層外れやすくすることができる。
【００３５】
以上の種々の変形態様は、例えば、図１３、図１４に示すように、正面板８に連接し、蓋を閉じた状態で外フラップ２から起立する連接板１５を看板２０として形成し、看板２０に、商品の陳列用の穴２１を開けた包装箱１Ｂにおいても適用することができる。なお、図１３、図１４に示した包装箱１Ｂにおいては、底部を差込式の蓋にしている。
【００３６】
また、図１５に示す包装箱１Ｃのように、正面板８に連接板１５を連接し、正面板８と連接板１５とを画する折線にミシン目等の切断誘導線１６を形成し、連接板１５を外フラップ２上に貼着してもよい。その場合、連接板１５の、切欠き１３上に重なる部分の縁辺を突出させることにより、連接板１５に引き上げ部１７を形成してもよい。この包装箱１Ｃの蓋を開ける際には、まず、引き上げ部１７を引き上げ、切断誘導線１６を破断しつつ差込フラップ３を包装箱内から引き抜く。一旦切断誘導線１６を破断した後は、前述の包装箱１Ａと同様に、使用することができる。
【００３７】
図１６Ａに示す包装箱１Ｄのように、正面板８に連接板１５´を連接し、正面板８と連接板１５´とを画する折線にミシン目等の切断誘導線１８を形成し、連接板１５´を外フラップ２上に貼着し、外フラップ２の側辺に引き上げ部１４を形成する。この包装箱１Ｄを開ける際には、図１６Ｂに示すように、引き上げ部１４を引き上げ、切断誘導線１８を破断しつつ、外フラップ２を開封する。また、図１７に示した包装箱１Ｅのように、前述の包装箱１Ａにおいて外フラップ２の引き上げ部１４と反対側の端部を延設し、外フラップ２にミシン目等の切断誘導線１９を形成し、包装箱の側面板９に貼着してもよい。図中、ドットで塗りつぶした部分は貼着領域を示している。この包装箱１Ｅを開ける際には、引き上げ部１４を引き上げ、切断誘導線１９を破断して外フラップ２を開口する。
【００３８】
この他、本考案は種々の態様を採ることができる。例えば、第１折線Ｌ1 の両端部の切込４、５のうち、切欠き１３側の切込４を形成する差込フラップ３の縁辺３ａは、係合部６ａの浮き上がりやすさ等に応じ、第１折線Ｌ1 に対して傾斜していなくてもよい。即ち、切欠き１３と反対側の切込５と同様に、第１折線Ｌ1 に平行な直線によって縁辺３ａを形成してもよい。
また、必要に応じてロック構造を外れ難くするため、粘着テープを、外フラップと側面板に亘るように、又は外フラップと正面板に亘るように貼着してもよい。
【００３９】
本考案の包装箱の形成材料としては、板紙、樹脂コートした板紙、プラスチックシート等を使用することができる。
【００４０】
この他、上述した変形態様は、適宜組み合わせることができる。
【００４１】
＜１＞正面板、左右一対の側面板、背面板、側面板に連接した一対の内フラップ、背面板に連接した外フラップ、外フラップに連接した差込フラップを有し、外フラップと差込フラップで差込式の蓋が形成される包装箱であって、外フラップと差込フラップとを画する折線（以下、第１折線という）の両端部に形成された切込と、蓋を閉じた状態で切込と係合するように内フラップの縁部が突出した一対の係合部を有し、一対の係合部のうち一方の係合部の側面板側に切欠きを有し、該切欠きが、内フラップと側面板とを画する折線（以下、第２折線という）の方向に延び、外フラップにおいて、蓋を閉じた状態で係合部と重なる部分に引き上げ部が形成されている包装箱。
＜２＞係合部において、切欠きと反対側の縁辺が滑らかな曲線をなしている、前記＜１＞記載の包装箱。
＜３＞滑らかな曲線の弧の弦が内フラップの外側を向いている、前記＜２＞記載の包装箱。
＜４＞滑らかな曲線の弧の弦を内フラップの内側を向いている、前記＜２＞記載の包装箱。
＜５＞滑らかな曲線に続いて、内フラップの先端側に直線の縁辺が延在している、前記＜２＞〜＜４＞のいずれかに記載の包装箱。
＜６＞係合部の直線の縁辺と、内フラップの先端側の直線の縁辺とは平行でない、前記＜５＞記載の包装箱。
＜７＞滑らかな曲線又はそこから延びる直線の縁辺に続いて、弧状の滑らかな曲線の縁辺であって、その弧の弦を内フラップの内側に向けたものが延在している、前記＜２＞〜＜６＞のいずれかに記載の包装箱。
＜８＞縁辺は内フラップの先端に達する、前記＜２＞〜＜７＞のいずれかに記載の包装箱。
＜９＞内フラップの係合部の縁辺に続く滑らかに傾斜した縁辺のラインの変曲点の始点Ｐ及び終点Ｑにおいて、曲線の縁辺の始点Ｐにおける接線と、終点Ｑにおける接線とが挟む角度αが１００°以上１７０°以下であって、より好ましくは１１０°以上１５０°以下である、前記＜２＞〜＜８＞のいずれかに記載の包装箱。
＜１０＞切欠き側の係合部を形成する、第１折線に平行な内フラップの縁辺の長さが、切欠きと反対側の係合部を形成する、第１折線に平行な内フラップの縁辺の長さよりも長い、前記＜１＞〜＜９＞のいずれかに記載の包装箱。
＜１１＞切欠き側の切込の長さが、それと反対側の切込の長さよりも長い、前記＜１０＞の包装箱。
＜１２＞差込フラップが外フラップに対し第１折線の方向に偏位している、前記＜１＞〜＜１１＞のいずれかに記載の包装箱。
＜１３＞切欠きの包装箱の奥行き方向の長さが、包装箱の奥行きの２／１０〜５／１０である、前記＜１＞〜＜１２＞のいずれかに記載の包装箱。
＜１４＞第１折線の両端部の切込のうち、切欠き側の切込を形成する外フラップ側の縁辺は第１折線に平行な直線である、前記＜１＞〜＜１３＞のいずれかに記載の包装箱。
＜１５＞切欠き側の切込において、差込フラップの縁辺が第１折線に対して傾斜している、前記＜１＞〜＜１４＞のいずれかに記載の包装箱。
＜１６＞切欠き側の切込において、差込フラップの縁辺が第１折線に対して傾斜していない、前記＜１＞〜＜１４＞のいずれかに記載の包装箱。
＜１７＞切欠き側と切込において、切込の開口幅が切込の終端から切込の開口端に向かって漸増している、前記＜１＞〜＜１５＞のいずれかに記載の包装箱。
＜１８＞切欠き側の切込を形成する差込フラップの縁辺を滑らかな曲線とする、前記＜１５＞又は＜１７＞に記載の包装箱。
＜１９＞切欠き側の切込を形成する差込フラップの縁辺を直線とし、その第１折線に対する傾斜角を大きくする、前記＜１５＞又は＜１７＞に記載の包装箱。
＜２０＞切欠きと反対側の切込では、外フラップ側の縁辺も差込フラップ側の縁辺も第１折線に平行な直線である、前記＜１＞〜＜１９＞のいずれかに記載の包装箱。
＜２１＞切欠きの長さをＷ1、係合部の縁辺のうち第１折線に平行な縁辺の長さをＷ2 、切込の長さをＷ3 が、Ｗ1 ＋Ｗ2 ＜Ｗ3の関係にある、前記＜１＞〜＜２０＞のいずれかに記載の包装箱。
＜２２＞切欠きの包装箱の奥行き方向の長さＤ1、切込の長さをＷ3 が、１／２≦Ｄ1／Ｗ3≦２の関係にある、前記＜１＞〜＜２１＞のいずれかに記載の包装箱。
＜２３＞係合部の縁辺の長さＷ2 を、切込の長さＷ3の１／２以上とし、かつ包装箱の幅Ｗ0 の１／２０以上とする、前記＜１＞〜＜２２＞のいずれかに記載の包装箱。
＜２４＞係合部に対応する切込の長さと、係合部に対応する切込の長さは同じである、前記＜１＞〜＜２３＞のいずれかに記載の包装箱。
＜２５＞係合部に対応する切込の長さが、係合部に対応する切込の長さより長い、前記＜１＞〜＜２３＞のいずれかに記載の包装箱。
＜２６＞切欠き側の係合部の、第１折線と平行な直線からなる縁辺の第１折線からの突出量に対し、もう一方の係合部における、係合部の縁辺の第１折線からの突出量が大きい、前記＜１＞〜＜２５＞のいずれかに記載の包装箱。
＜２７＞差込フラップの幅の中心線を、包装箱の幅の中心線に対して切欠き側に偏位させている、前記＜１＞〜＜２６＞のいずれかに記載の包装箱。
＜２８＞差込フラップの幅の中心線を、包装箱の幅の中心線に対して切欠きの対向側に偏位させている、前記＜１＞〜＜２６＞のいずれかに記載の包装箱。
＜２９＞引き上げ部に、引き上げる部分であることを示す印刷が施されている、前記＜１＞〜＜２８＞のいずれかに記載の包装箱。
＜３０＞引き上げ部の表面にエンボス加工が施されている、前記＜１＞〜＜２９＞のいずれかに記載の包装箱。
＜３１＞引き上げ部の表面に粘着テープ等により摘みを設けている、前記＜１＞〜＜３０＞のいずれかに記載の包装箱。
＜３２＞引き上げ部が、外フラップの側辺に凹凸を形成してなる、前記＜１＞〜＜３１＞のいずれかに記載の包装箱。
＜３３＞正面板に連接し、蓋を閉じた状態で外フラップから起立する連接板を有する、前記＜１＞〜＜３２＞のいずれかに記載の包装箱。
＜３４＞正面板と連接板とを画する折線にミシン目等の切断誘導線を形成し、連接板を外フラップ上に貼着している、前記＜３３＞に記載の包装箱。
＜３５＞外フラップの引き上げ部と反対側の端部を延設し、切欠きを有する内フラップに隣接する側面板に貼着してなる、前記＜１＞〜＜３４＞のいずれかに記載の包装箱。
＜３６＞外フラップと、外フラップの引き上げ部と反対側に延設された端部とを画する折線に、ミシン目等の切断誘導線を形成している、前記＜３５＞に記載の包装箱。
＜３７＞連接板の、切欠き上に重なる部分の縁辺を突出させて引き上げ部を形成している、前記＜３３＞〜＜３６＞のいずれかに記載の包装箱。
【符号の説明】
【００４２】
１Ａ、１Ｂ、１Ｃ、１Ｄ、１Ｅ、１Ｘ、１Ｙ  包装箱
２    外フラップ
３    差込フラップ
３ａ    切込を形成する差込フラップの縁辺
４    切込
４ｅ    切込の終端
４ｓ    切込の開口端
５    切込
６    内フラップ
６ａ    内フラップの係合部
６ｑ、６ｒ、６ｓ    内フラップの縁辺
７    内フラップ
７ａ    内フラップの係合部
８    正面板
９、１０  側面板
１１    背面板
１２    継ぎしろ
１３    切欠き
１４    引き上げ部
１５、１５’    連接板
１６    切断誘導線
１７    引き上げ部
１８、１９    切断誘導線
２０    看板
２１    穴
Ｄ1     包装箱の奥行き方向の切欠きの長さ
Ｄ2     包装箱の奥行き
Ｌ1     第１折線又は折線
Ｌ2     第２折線又は折線
Ｍ0     包装箱の幅の中心線
Ｍ1     差込フラップの幅の中心線
Ｗ0     包装箱の幅
Ｗ1     包装箱の幅方向の切欠きの長さ
Ｗ2     包装箱の幅方向の係合部の縁辺６ｑの長さ
Ｗ3     包装箱の幅方向の切込の長さ
Ｗ5     差込フラップの幅
【図１】
0003208668.tif 000003
【図２】
0003208668.tif 000004
【図３】
0003208668.tif 000005
【図４】
0003208668.tif 000006
【図５】
0003208668.tif 000007
【図６】
0003208668.tif 000008
【図７】
0003208668.tif 000009
【図８】
0003208668.tif 000010
【図９】
0003208668.tif 000011
【図１０】
0003208668.tif 000012
【図１１】
0003208668.tif 000013
【図１２】
0003208668.tif 000014
【図１３】
0003208668.tif 000015
【図１４】
0003208668.tif 000016
【図１５】
0003208668.tif 000017
【図１６Ａ】
0003208668.tif 000018
【図１６Ｂ】
0003208668.tif 000019
【図１７】
0003208668.tif 000020
【図１８Ａ】
0003208668.tif 000021
【図１８Ｂ】
0003208668.tif 000022
【図１９】
0003208668.tif 000023